(57)【要約】【課題】簡単に作製できるとともに、熱効率よく床暖房することが可能な暖房フローリング材を提供する。【解決手段】床材２の側面に突設された雄実１１と、他方の床材２の側面に凹設された雌実１２とが相互に結合された複数の床材２からなるフローリング材において、上記雌実１２の側方開口部からみた底部を細長発熱体を嵌装する嵌装空間とするとともに、この嵌装空間に上記細長発熱体を嵌装した後、雄実１１を結合してなる暖房フローリング材。【選択図】図２
2004250892.tif 000002
【特許請求の範囲】
【請求項１】
床材の側面に突設された雄実と、他方の床材の側面に凹設された雌実とが相互に結合された複数の床材からなるフローリング材において、上記雌実の側方開口部からみた底部を細長発熱体を嵌装する嵌装空間とするとともに、この嵌装空間に上記細長発熱体を嵌装した後、雄実を結合してなる暖房フローリング材。
【請求項２】
上記嵌装空間が、雄実の長さよりも雌実の底部を深くすることによって設けられた請求項１に記載の暖房フローリング材。
【請求項３】
上記嵌装空間が、雌実の底部をさらに穿って設けられた収納凹部である請求項１に記載の暖房フローリング材。
【請求項４】
上記細長発熱体が温水パイプである請求項１に記載の暖房フローリング材。
【請求項５】
上記細長発熱体がコードヒータである請求項１に記載の暖房フローリング材。
【発明の詳細な説明】
【０００１】
【発明の属する技術分野】
本発明は、床暖房に関する。さらに詳しくは、木質系床材を実結合してなるフローリング材に細長発熱体を内設した暖房フローリング材に関する。
【０００２】
【従来の技術】
従来、床暖房装置に関しては、種々の技術が公知である（例えば、特許文献１、２、３参照。）。
【０００３】
【特許文献１】
実開平５−６９５１８号公報（第１−２頁、第１図、第３図）
【特許文献２】
特開２００２−１３０７０６号公報（第１−２頁、第１図、第１０図）
【特許文献３】
実開平７−１９４７４号公報（第１−２頁、第１図）
【０００４】
【発明が解決しようとする課題】
上記特許文献１、２、３記載の技術以外にも、種々の床暖房装置が公知であり、例えば、床暖房パネルがよく知られている。この床暖房パネルにも種々のタイプがあるが、その一例として、本願図６に示すものがあげられる。本願図６には、ヒータ６３を、基材合板６４に設けられた凹部に内蔵し、裏面に均熱板６２を備えた木質系フローリング材６１を、上記基材合板６４に積層した床暖房パネル６が示されている。
【０００５】
上記のように構成された床暖房パネル６においては、木質系フローリング材６１を、実結合で結合された複数の床材から構成するとともに、上記基材合板６４に設けた凹部に、ヒータに加えて、センサー、コネクター等を取付け、積層構造としなければならず、その作製に、時間と手間がかかり、経済的に有利でないという問題がある。本発明は、このような問題を解決して、簡単に、作製できるとともに、熱効率よく床暖房することが可能な暖房フローリング材を提供することを、その課題とする。
【０００６】
【課題を解決するための手段】
本発明は、上記課題を解決するために考え出されたものであって、つぎのような技術的手段を講じている。すなわち、本発明によれば、床材の側面に突設された雄実と、他方の床材の側面に凹設された雌実とが相互に結合された複数の床材からなるフローリング材において、上記雌実の側方開口部からみた底部を細長発熱体を嵌装する嵌装空間とするとともに、この嵌装空間に上記細長発熱体を嵌装した後、雄実を結合してなる暖房フローリング材が提供される。このようにすることによって、熱効率よく床暖房できるとともに、簡単に、経済的に有利に暖房フローリング材を作製することができる。
【０００７】
上記嵌装空間が、雄実の長さよりも雌実を深くすることによって設けられることが好ましい。このようにすることによって、雌実の側方開口部より細長発熱体を嵌入し、雄実の長さよりも深い部分の雌実の底部を嵌装空間として細長発熱体を納め、その後、雄実を結合すれば、細長発熱体の嵌装と、フローリング材の作製を同時に行うことができる。
【０００８】
上記嵌装空間が、雌実の底部をさらに穿って設けられた収納凹部とされる。このようにすることにより、雌実の側方開口部より細長発熱体を嵌入し、さらに、その奥に位置する上記収納凹部に細長発熱体を納め、雄実を結合すれば、細長発熱体の嵌装と、フローリング材の作製を同時に行うことができる。
【０００９】
上記細長発熱体が温水パイプとされる。温水パイプをフローリング材の実結合部に内設し、ボイラーで加熱した温水を循環させることによって、フローリング材を暖め、快適な床暖房を行うことができる。
【００１０】
上記細長発熱体がコードヒータとされる。コードヒータをフローリング材の実結合部に内設し、通電して加熱することによって、フローリング材を暖め、快適な床暖房を行うことができる。
【００１１】
【発明の実施の形態】
以下、本発明の好ましい実施の形態について、実施例により、さらに詳細に説明する。図１は、実施例１にかかる本発明の暖房フローリング材の概略構成を示す平面図であり、図２は、図１のＡ−Ａ線に沿う部分側断面図である。図１、図２おいて、実結合部１は、床材２の側面に突設された雄実１１と、他方の床材２の側面に凹設された雌実１２とを相互に結合してなり、このように結合された複数の床材２がフローリング材を形成する。一方、図２からよくわかるように、雄実１１の長さよりも雌実１２が深くされているため、雄実１１の長さよりも深い部分が嵌装空間を形成する。
【００１２】
上記のように構成されたフローリング材は、通常、熱効率を高めるため、断熱材を介して、図示しない床下地材の上に施工される。図１において、細長発熱体としては、温水パイプ３が用いられており、ボイラー４からの温水を上記実結合部１に内設された温水パイプ３に送り、フローリング材を暖房する。図１においては、温水パイプ３の端部はＵ字管で連結され、ボイラー４からの温水は矢印に沿って流れ、フローリング材を暖めてボイラー４に戻る。このように、温水が循環することにより、快適に床暖房を行うことができる。
【００１３】
図３は、実施例１の変形例であり、上記温水パイプ３の端部をヘッダー構造とし、ボイラー４からの温水は、上流ヘッダー３１で分岐して各実結合部１に内設された温水パイプ３に流され、床を暖める。フローリング材を暖めた温水は下流ヘッダー３２に集められ、ボイラー４に戻る。このように、温水が循環することにより、快適に床暖房を行うことができる。
【００１４】
図４は、実施例２を示す側断面図であり、実結合部１を構成する雌実１２の底部をさらに穿って収納凹部１２１を設け、コードヒータ５をこの収納凹部１２１に納めた状態を示す。コードヒータ５は、上記温水パイプ３に比べて細いため、図２に示す嵌装空間に納めた場合、遊びの空間が生じて、下方に落下し、上方に空気層が存在することになる。その結果、空気層の断熱作用により、床面への熱伝達が劣ったものとなるため、実施例２においては、コードヒータ５の外径に見合った上記収納凹部１２１を設けている。このようにすることにより、コードヒータ５と雌実１２とがよく接触し、熱伝達率の向上を図ることができる。
【００１５】
図５は実施例２の変形例を示す側断面図であり、実結合部１を構成する雌実１２の床面側の底部を穿って設けた収納凹部１２１を嵌装空間とし、この収納凹部１２１にコードヒータ５を納めた状態を示す。このようにすることにより、床面側への熱伝達率が向上し、さらに熱効率よく床暖房を行うことができる。
【００１６】
【発明の効果】
以上述べたように、請求項１に記載の発明は、床材２の側面に突設された雄実１１と、他方の床材２の側面に凹設された雌実１２とが相互に結合された複数の床材２からなるフローリング材において、上記雌実１２の側方開口部からみた底部を細長発熱体を嵌装する嵌装空間とするとともに、この嵌装空間に上記細長発熱体を嵌装した後、雄実１１を結合してなる暖房フローリング材が提供される。このようにすることによって、熱効率よく床暖房できるとともに、簡単に、経済的に有利に暖房フローリング材を作製することができる。
【００１７】
請求項２に記載の発明は、上記嵌装空間が、雄実１１の長さよりも雌実１２を深くすることによって設けられる。このようにして、雌実１２の側方開口部より細長発熱体を嵌入し、雄実１１の長さよりも深い部分の雌実１２の底部を嵌装空間として細長発熱体を納め、その後、雄実１１を結合すれば、請求項１に記載の発明の効果に加えて、細長発熱体の嵌装と、フローリング材の作製を同時に行うことができる。
【００１８】
請求項３に記載の発明は、上記嵌装空間が、雌実１２の底部をさらに穿って設けられた収納凹部１２１とされる。このようにして、雌実１２の側方開口部より細長発熱体を嵌入し、さらに、その奥に位置する上記収納凹部１２１に細長発熱体を納め、雄実１１を結合すれば、請求項１に記載の発明の効果に加えて、細長発熱体の嵌装と、フローリング材の作製を同時に行うことができる。
【００１９】
請求項４に記載の発明は、上記細長発熱体が温水パイプ３とされる。温水パイプ３をフローリング材の実結合部に内設し、ボイラー４で加熱した温水を循環させることによってフローリング材を暖めれば、請求項１に記載の発明の効果に加えて、快適な床暖房を行うことができる。
【００２０】
請求項５に記載の発明は、上記細長発熱体がコードヒータ５とされる。コードヒータ５をフローリング材の実結合部に内設し、通電して加熱することによってフローリング材を暖めれば、請求項１に記載の発明の効果に加えて、快適な床暖房を行うことができる。
【図面の簡単な説明】
【図１】実施例１にかかる本発明の暖房フローリング材の概略構成を示す平面図である。
【図２】図１におけるＡ−Ａ線に沿う部分側断面図である。
【図３】実施例１の変形例にかかる本発明の暖房フローリング材の概略構成を示す平面図である。
【図４】実施例２にかかる本発明の暖房フローリング材の構成を示す部分側断面図である。
【図５】実施例２の変形例にかかる本発明の暖房フローリング材の構成を示す部分側断面図である。
【図６】公知の床暖房パネルを示す側断面図である。
【符号の説明】
１          実結合部
１１        雄実
１２        雌実
１２１      収納凹部
２          床材
３          温水パイプ
３１        上流ヘッダー
３２        下流ヘッダー
４          ボイラー
５          コードヒータ
６          公知の床暖房パネル
６１        木質系フローリング材
６２        均熱板
６３        ヒータ
６４        基材合板
【図１】
2004250892.tif 000003
【図２】
2004250892.tif 000004
【図３】
2004250892.tif 000005
【図４】
2004250892.tif 000006
【図５】
2004250892.tif 000007
【図６】
2004250892.tif 000008